(57)【要約】      （修正有）【課題】本開示は、高い印画品質を安定して維持できる電子写真感光体およびそれを用いた画像形成装置を提供する。【解決手段】本開示の電子写真感光体１０は、回転軸線まわりに回転可能な円筒状基体１と、円筒状基体１の外周面１ａ上に位置する表面層２と、表面層２における、回転軸線方向の少なくとも一方の端部を被覆する角部被覆層１１と、を含む。また、本開示の画像形成装置は、前述の電子写真感光体１０を備える。これにより、電子写真感光体１０が高速で回転または振動等する使用状況下においても、表面層２の剥離小片に起因する黒点等の画像劣化の発生が、抑制される。【選択図】図１
2019191398.tif 000002
【特許請求の範囲】
【請求項１】
回転軸線まわりに回転可能な円筒状基体と、
前記円筒状基体の外周面上に位置する表面層と、
前記表面層における、回転軸線方向の少なくとも一方の端部を被覆する角部被覆層と、
を含む電子写真感光体。
【請求項２】
前記円筒状基体の、回転軸線方向の少なくとも一方の端部の角部領域は、全周において、前記外周面および基体端面に対して傾斜または湾曲する面取り面を含み、
前記表面層は、前記面取り面の上にまで延びている、請求項１に記載の電子写真感光体。
【請求項３】
前記角部被覆層の外周面側の端部は、前記表面層の円周状外形に沿った最外径線よりも、径方向内側に位置しており、
前記円筒状基体の前記基体端面は、前記角部被覆層によって、少なくとも一部が覆われている、請求項２に記載の電子写真感光体。
【請求項４】
前記角部被覆層は、反応硬化型の樹脂からなる層である、請求項１〜３のいずれか１つに記載の電子写真感光体。
【請求項５】
請求項１〜４のいずれかに記載の電子写真感光体を備える画像形成装置。
【発明の詳細な説明】
【技術分野】
【０００１】
本発明は、電子写真感光体およびこれを備えた画像形成装置に関する。
【背景技術】
【０００２】
画像形成装置に用いられる電子写真感光体は、たとえば、円筒状の基体などの外周面の表面である外表面（最表面ともいう）に、電荷注入阻止層，光導電層，表面保護層等からなる表面層を形成した構成をとる。この電子写真感光体に関し、本出願人は、特許文献１において、電子写真感光体の円筒状基体端部の面取り部あるいは面取り面を２段以上の複数段にして、表面層の成膜時に、これらの面取り面にも表面層を付着させる提案を行っている。これにより、提案の電子写真感光体は、成膜時に円筒状基体の端部に発生する、表面層の微小突起などの成膜欠陥の生成を、抑制することができる。
【先行技術文献】
【特許文献】
【０００３】
【特許文献１】特開２００８−１４９６４号公報
【発明の概要】
【発明が解決しようとする課題】
【０００４】
前記提案によれば、電子写真感光体を画像形成装置に組み込んで画像形成を行なった際に発生する黒点等の画像劣化の原因となる小片等、先の表面層の一部または端部が剥がれた剥離片の発生を、抑制することができる。しかしながら、印刷画像の高品質化および印刷速度の高速化の要望から、画像形成装置に組み込まれる電子写真感光体の回転速度および表面周速は、年々増してきている。そのため、電子写真感光体に加わる遠心力または回転振動等の増大により、前述の表面層の端部剥離等が起り易くなってきているという問題がある。
【０００５】
本開示の目的は、高い印画品質を安定して維持できる電子写真感光体およびそれを用いた画像形成装置を提供することである。
【課題を解決するための手段】
【０００６】
本開示の電子写真感光体は、回転軸線まわりに回転可能な円筒状基体と、前記円筒状基体の外周面上に位置する表面層と、前記表面層における、回転軸線方向の少なくとも一方の端部を被覆する角部被覆層と、を含む。
【０００７】
また、本開示の画像形成装置は、前述の電子写真感光体を備える。
【０００８】
なお、本開示に係る電子写真感光体の適用形態は、上述の電子写真感光体単体、および、上述の電子写真感光体を組み込んだ画像形成装置の形態の他、中間製品として、円筒状基体の少なくとも一方の端部の開口に、フランジと呼ばれる組み込み用部材（アタッチメント）を内嵌、取り付けて一体化した電子写真感光体ユニット（ドラムユニット）の形態を包含する。
【発明の効果】
【０００９】
本開示の電子写真感光体および画像形成装置によれば、画像形成装置に組み込んだ電子写真感光体が高速で回転あるいは振動等する使用状況においても、表面層の剥離小片に起因する黒点等の画像劣化の発生が抑制される。これにより、高い印画品質を維持することができる。
【図面の簡単な説明】
【００１０】
【図１】（ａ）は第１実施形態の電子写真感光体の半断面図であり、（ｂ）は（ａ）のＰ部を拡大した模式的断面図、（ｃ）は表面層の断面図である。
【図２】（ａ）は第２実施形態における電子写真感光体の半断面図、（ｂ）は角部被覆層を有する第２実施形態の電子写真感光体の半断面図、（ｃ）は（ｂ）のＱ部の拡大断面図である。
【図３】（ａ）は第３実施形態における組み立て前の電子写真感光体ユニットの構成を示す図、（ｂ）は組み立て後の第３実施形態の電子写真感光体ユニットの半断面図、（ｃ）は（ｂ）のＲ部の拡大断面図である。
【図４】実施形態に係る画像形成装置の構成を一部断面で示す構造図である。
【発明を実施するための形態】
【００１１】
以下、実施形態に係る電子写真感光体およびこれを備えた画像形成装置について、図面を参照しつつ説明する。
【００１２】
図１（ａ）に示す第１実施形態の電子写真感光体１０、図２（ｂ）に示す第２実施形態の電子写真感光体２０、図３（ｂ）に示す第３実施形態の電子写真感光体３０は、図４に示す画像形成装置１００に、電子写真感光体または電子写真感光体ユニットとして組み込んで使用されるものである。なお、電子写真感光体の筒長方向に沿った、円筒の回転軸の方向を回転軸線方向、または単に軸線方向と呼ぶ。
【００１３】
これらの電子写真感光体１０，２０，３０は、それぞれ、金属からなる円筒状基体１の最表面である外周面１ａに、図１（ｃ）に示すような、耐圧層２ａ，電荷注入阻止層２ｂ，光導電層２ｃ，表面保護層２ｄからなる表面層２が、積層（成膜）されている。
【００１４】
なお、電荷注入阻止層２ｂと光導電層２ｃとを合わせて「感光層」と呼ぶ場合もある。また、図に記載の表面層２は、各層または各膜の厚みを強調して描いているため、層厚さおよび層厚比等は、実際のものとは異なる。なお、他の図も同様である。
【００１５】
円筒状基体１は、表面層２の支持体となるものであり、少なくとも円筒状基体１の表面は導電性を有し、半断面図に示すように、筒長方向である軸線方向に連続する円周状の外周面１ａおよび内周面１ｂと、軸線方向両端部に形成された基体端面（以下、単に「端面」という）である端面１ｃとを備える。
【００１６】
なお、内周面１ｂにおける円筒の両端開口縁部で、かつ、前記の端面１ｃと隣接する領域には、後記するフランジと呼ばれるドラムアタッチメントを、一点鎖線で示す円筒状基体１の回転軸に芯出しして精密にインロー（印籠）嵌合するための円周段部１ｄが、それぞれ形成される。また、各端面１ｃは、上記したフランジとの当接と、後に実施される成膜工程等におけるハンドリング等とを考慮して、少なくとも円周段部１ｄの周面、できれば円周段部１ｄの周面と外周面１ａとに対して、垂直となるように形成される。
【００１７】
さらに、円筒状基体１の最表面である外周面１ａは、粗面化されていてもよい。基体外周面１ａの表面粗さは、粗面化後で、たとえば算術平均高さＳａが５０ｎｍ以上１４０ｎｍ以下となるようにすればよい。
【００１８】
円筒状基体１は、円筒状で、たとえばアルミニウム（Ａｌ），ステンレススチール（ＳＵＳ），亜鉛（Ｚｎ），銅（Ｃｕ），鉄（Ｆｅ），チタン（Ｔｉ），ニッケル（Ｎｉ），クロム（Ｃｒ），タンタル（Ｔａ），スズ（Ｓｎ），金（Ａｕ），銀（Ａｇ），マグネシウム（Ｍｇ）およびマンガン（Ｍｎ）などの金属材料、あるいはこれら例示した金属材料を含む合金によって、全体が導電性を有するものとして形成される。
【００１９】
また、円筒状基体１は、樹脂，ガラスあるいはセラミックスなどの表面に、例示した金属材料あるいはＩＴＯ（Ｉｎｄｉｕｍ  Ｔｉｎ  Ｏｘｉｄｅ）または二酸化すず（ＳｎＯ２）などの透明導電性材料による導電性膜を被着したものであってもよい。
【００２０】
これらの例示した材料のうち、円筒状基体１を形成するための材料としては、アルミニウム（Ａｌ）系材料を用いればよく、実施形態の円筒状基体１は、全体をアルミニウム（Ａｌ）系材料で形成した。アルミニウム（Ａｌ）系材料は、電子写真感光体１０を軽量かつ低コストで製造可能であり、その上、後記の電荷注入阻止層２ｂおよび光導電層２ｃをアモルファスシリコン（ａ−Ｓｉ）系材料で形成する場合には、それらの層と円筒状基体１との間の密着性が高くなって信頼性を向上させることができる。
【００２１】
表面層２を構成する各層を簡単に説明すると、図１（ｃ）に示すように、最も円筒状基体１側でかつ円筒状基体１に密着する耐圧層２ａは、表面層２における耐電圧特性を向上させるためのものであり、たとえばアモルファス窒化シリコン（ａ−ＳｉＮ）を含有する層である。その厚さは０．５〜１５μｍとされる。なお、耐圧層２ａは、耐電圧層または耐圧保持層とも呼ばれる。
【００２２】
電荷注入阻止層２ｂは、正帯電の場合であれば、円筒状基体１からのキャリアである電子の注入を阻止する役割を有するものであり、たとえばアモルファスシリコン（ａ−Ｓｉ）系材料で形成される。この電荷注入阻止層２ｂは、たとえばアモルファスシリコン（ａ−Ｓｉ）に、ドーパントとして正帯電の場合であれば、ホウ素（Ｂ）と場合により窒素（Ｎ）か酸素（Ｏ）またはその両方を含有させたもの、あるいは負帯電の場合であればリン（Ｐ）と場合により窒素（Ｎ）か酸素（Ｏ）またはその両方を含有させたものを用いることができ、その厚さは２〜１０μｍとされる。
【００２３】
光導電層２ｃは、レーザ光などの光照射によってキャリアを発生させる役割を有するものであり、たとえばアモルファスシリコン（ａ−Ｓｉ）系材料ならびにＳｅ−ＴｅあるいはＡｓ２Ｓｅ３などのアモルファスセレン（ａ−Ｓｅ）系材料で形成される。実施形態の光導電層２ｃは、アモルファスシリコン（ａ−Ｓｉ）ならびにアモルファスシリコン（ａ−Ｓｉ）に炭素（Ｃ），窒素（Ｎ）および酸素（Ｏ）などを加えたアモルファスシリコン（ａ−Ｓｉ）系材料で形成されており、ドーパントとしてホウ素（Ｂ）あるいはリン（Ｐ）を含有する。アモルファスシリコン（ａ−Ｓｉ）系材料を用いて光導電層２ｃを形成する場合、その厚さは５〜１００μｍ程度、より具体的には１０〜８０μｍに設定すればよい。
【００２４】
表面保護層２ｄは、光導電層２ｃの表面を保護する役割を有するものであり、たとえばアモルファス炭化シリコン（ａ−ＳｉＣ）あるいはアモルファス窒化シリコン（ａ−ＳｉＮ）などのアモルファスシリコン（ａ−Ｓｉ）系材料または、アモルファスカーボン（ａ−Ｃ）を用いるか、あるいはそれらの多層構造とすればよい。実施形態では、耐摩耗性の観点から、耐性の高いアモルファスカーボン（ａ−Ｃ）が採用される。表面保護層２ｄの厚さは、たとえば０．１〜２μｍ、より具体的には０．５〜１．５μｍに設定すればよい。
【００２５】
そして、第１実施形態の電子写真感光体１０、第２実施形態の電子写真感光体２０、第３実施形態の電子写真感光体３０は、各々、図１（ａ）、図２（ｂ）、図３（ｂ）に示すように、回転軸線方向の少なくとも一方の端部、すなわちこれらの例では、円筒状基体１の回転軸線方向両側の端部または角部に位置する角部領域Ｃに、表面層２の回転軸線方向の端部を被覆する角部被覆層１１，１２，１３が、それぞれ形成される。
【００２６】
各実施形態における表面層２と、表面層２の軸線方向端部を被覆する角部被覆層１１，１２，１３との関係について、詳しく説明する。
【００２７】
第１実施形態の電子写真感光体１０における角部被覆層１１は、図１（ａ）の下半分の外観図に示すように、円筒状基体１の外周面１ａ上に形成された表面層２の、軸線方向両端部を覆うように配設される。
【００２８】
断面で見た場合、角部被覆層１１は、図１（ｂ）に示すように、表面層２上の軸線方向端近傍の縁部から、表面層２の角部２ｅおよび円筒状基体１の外周面１ａの角部１ｅを覆って、円筒状基体１の端面１ｃの一部にまで配設される。
【００２９】
なお、角部被覆層１１を構成する材料としては、電気絶縁性を有し、かつ、図のように、円筒状基体１の角部領域Ｃに、塗布または滴下あるいはディッピング等により、角部を覆う層構造または膜構造を成形可能な材料であれば、どのような材料でも使用することができる。たとえば、任意の形状に容易に成形できる、樹脂またはプラスチック等を、好適に使用することができる。
【００３０】
樹脂材料としては、たとえば、硬化処理時に過剰な熱をかける必要がなく、常温または室温で硬化するエポキシ樹脂系あるいはウレタン樹脂系等、反応硬化型の樹脂からなるコーティング材または接着剤等を、好適に使用することができる。これらのような常温硬化または常温成形型の樹脂を、角部領域Ｃのコーティング材料として用いることにより、円筒状基体１の真円度に影響を及ぼす加熱処理を行うことなく、この角部領域Ｃに、樹脂製の保護用被覆層を形成することができる。なお、反応硬化型の樹脂としては、上記の他にも、２液反応硬化型、ＵＶ（紫外線）硬化型、湿気硬化型、熱硬化型等の種々の樹脂を用いることができる。
【００３１】
角部被覆層１１の構成材料としては、前述の樹脂またはプラスチック等の他、電子写真感光体１０の必要特性に対して、加熱による影響がなければ、熱硬化性の接着剤等を用いてもよい。
【００３２】
また、角部被覆層１１は、必ずしも周状の角部領域Ｃの全周に設ける必要はなく、周方向に間欠的に、あるいは不連続に設けてもよい。
【００３３】
以上の構成の第１実施形態の電子写真感光体１０によれば、電子写真感光体１０の軸線方向端の角部領域Ｃが、表面層２の端部を保護して表面層２からの小片等の剥離または脱落を抑制する角部被覆層１１によって覆われる。そのため、この電子写真感光体１０が画像形成装置に組み込まれて、高速で回転等した場合でも、前述の表面層２の端部剥離等の発生が、抑制される。
【００３４】
したがって、本実施形態の電子写真感光体１０およびそれを備える画像形成装置１００によれば、電子写真感光体１０が高速で回転または振動等する使用状況下においても、表面層２の剥離小片に起因する黒点等の画像劣化の発生が抑制され、高い印画品質が安定して維持される。
【００３５】
つぎに、第２実施形態の電子写真感光体２０は、前述の第１実施形態とは、端部である角部形状が異なる円筒状基体１を用いたものである。すなわち、図２（ａ）〜（ｃ）において符号１ｆ，１ｇで示すような、成膜前の円筒状基体１の外周面１ａと端面１ｃとの間には、エッジ角度を緩和するための、２段階の面取り面が形成されている。
【００３６】
詳しく説明すると、第２実施形態で使用される円筒状基体１は、図２（ｃ）に拡大して示す、円筒状基体１の回転軸線方向の端部には、外周面１ａと端面１ｃとの間に、異なる傾斜角を有する、斜面（Ｃ面）状の外側面取り面１ｆと、同様に斜面状の内側面取り面１ｇとが、切削等を用いた面取り加工によって形成される。そして、円筒状基体１の表面層２は、外周面１ａの回転軸線方向の端部から、これらの外側面取り面１ｆと内側面取り面１ｇとを覆う位置まで延びている。
【００３７】
外側面取り面１ｆは、外周面１ａに連続して形成されており、図２（ｃ）のように円筒状基体１の回転軸線を通る側断面視で見た場合、その長さは、たとえば０．０３〜０．２０ｍｍである。
【００３８】
また、内側面取り面１ｇは、図示上側の一端が、外側面取り面１ｆに連続しており、図示下側の他端が、基体端面である端面１ｃに連続するよう形成される。なお、内側面取り面１ｇは、図２（ｂ）のように円筒状基体１の回転軸線を通る側断面視で見た場合、その長さは、たとえば０．２〜０．５ｍｍ程度である。
【００３９】
なお、これら面取り面１ｆ，１ｇは、円筒状基体１の角部構成の一例である。本実施形態では、外側面取り面１ｆと内側面取り面１ｇとが連続する構成であるが、両者は連続していても、していなくてもよい。
【００４０】
また、これら面取り面１ｆ，１ｇは、それぞれを、斜面（Ｃ面）ではなく、湾曲面（Ｒ面）としてもよく、どちらか一方のみを設け、従来公知の１つのＣ面またはＲ面とするか、あるいは逆に、３段階以上の面取り面を有するようにしてもよい。なお、面取り部もしくは面取り面を設けない場合は、前述の第１実施形態に含まれる。
【００４１】
そして、第２実施形態の電子写真感光体２０における角部被覆層１２も、第１実施形態と同様、図２（ｂ）の下半分の外観図に示すように、円筒状基体１の外周面１ａ上に形成された表面層２の、軸線方向両側の端部を覆うように配設される。
【００４２】
すなわち、断面で見た場合、角部被覆層１２は、図２（ｃ）に示すように、表面層２上の軸線方向端近傍の縁部から、円筒状基体２０の角部領域Ｃに相当する、表面層２と端面１ｃとの間の外側面取り面１ｆおよび内側面取り面１ｇを越えて、円筒状基体１の端面１ｃを覆う位置まで延設されている。
【００４３】
また、第２実施形態の角部被覆層１２は、その外周面１ａ側の端部が、図２（ｂ），（ｃ）に示す、表面層２の円周状外形に沿って設定された最外径線Ｄよりも、径方向内側に配設されており、角部被覆層１２の端面１ｃ側の端部は、端面１ｃの図示上方向の端部または縁部の一部を覆うように配設される。
【００４４】
なお、角部被覆層１２の外周面１ａ側の端部が、表面層２の円周状外形に沿って設定された最外径線Ｄよりも径方向内側に配設される理由は、後記のような画像形成装置１００に組み込んだ場合、この電子写真感光体２０の最外周面である表面層２の表面における角部領域Ｃに相当する位置に、電子写真感光体２０の回転を支承するころ等が当接または摺接する場合に、角部被覆層１２への機械的な悪影響を避ける上で好ましいからである。
【００４５】
上記構成によれば、この電子写真感光体２０の角部領域Ｃには、表面層２から径方向外側に向けて突出する物および部位がないため、前述のように、ころまたはそれに類する摺接部材等が、電子写真感光体２０の端部に接触する場合であっても、この電子写真感光体２０の回転支持に影響を与えることなく、ころ等は電子写真感光体２０の回転をスムーズに支承することができる。また、電子写真感光体２０に接触するころまたは摺接部材等に、摩耗が発生するのを、抑えることができる。
【００４６】
角部被覆層１２の構成材料は、第１実施形態の角部被覆層１１と同様であるため、詳細な記述を省略する。
【００４７】
以上の構成の第２実施形態の電子写真感光体２０によれば、電子写真感光体２０の軸線方向端の角部が、表面層２の端部を保護して表面層２からの小片等の剥離および脱落を抑制する角部被覆層１２によって覆われる。そのため、この電子写真感光体２０が画像形成装置に組み込まれて、高速で回転等した場合でも、端部から発生する表面層２の剥離等が、抑制される。
【００４８】
したがって、本実施形態の電子写真感光体２０およびそれを備える画像形成装置は、電子写真感光体２０が高速で回転または振動等する使用状況下においても、表面層２の剥離小片に起因する黒点等の画像劣化の発生が抑制され、高い印画品質を安定して維持することができる。
【００４９】
つぎに、第３実施形態の電子写真感光体３０は、前述の第２実施形態と同様に、円筒状基体１として、図３（ａ）に示すような、外周面１ａと端面１ｃとの間に、２段階の面取り面（図中符号省略）が設けられた円筒状基体１を使用する。
【００５０】
この第３実施形態が、前記第１，第２実施形態と最も異なるのは、電子写真感光体３０の軸線方向の両側端部に、両側側方から、フランジ３と呼ばれるドラムアタッチメントがそれぞれ取り付けられており、電子写真感光体３０は２つのフランジ３と一体の、電子写真感光体ユニット４０として構成される点である。
【００５１】
各フランジ３は、円筒状基体１の円筒開口の近傍、すなわち、内周面１ｂの軸線方向端部に設けられた円周段部１ｄに、インロー（印籠）嵌合で内嵌され、取り付けられる。なお、上述のフランジ３と円筒状基体１の円周段部１ｄとの間は、図示のように、接着剤Ｇ等の硬化性の樹脂組成物を用いて、接着固定される。
【００５２】
そして、第３実施形態における電子写真感光体４０は、前述の接着剤によるフランジ３の固定の際、このフランジ３と円筒状基体１の円周段部１ｄとの間の隙間に、意図的に、所要量よりも多目の接着剤が塗布されており、図３の（ｃ）に示すように、フランジ３と円周段部１ｄの間の隙間から、前述の接着剤が、フランジ３と表面層２の角部との間に形成された断面形状が略三角状の空間、すなわち円筒状基体３０の角部領域Ｃに向けて溢れるかまたは滲み出して、この角部領域Ｃを覆う角部被覆層１３を形成するように、構成される。
【００５３】
なお、前述の接着剤の塗布量または充填量は、図３の（ｃ）に示すように、第２実施形態の電子写真感光体２０と同様、角部被覆層１３の外周面１ａ側の端部が、表面層２の円周状外形に沿った最外径線Ｄよりも径方向内側に位置するように、制御または制限される。これにより、第２実施形態と同様に、ころ等の摺接部材等が、電子写真感光体３０の端部に接触する場合であっても、この電子写真感光体３０の回転支持に影響を与えることなく、また角部被覆層１３への機械的な悪影響を避けつつ、その回転をスムーズに支承することができる。
【００５４】
また、角部被覆層１３を構成する前記の接着剤である樹脂組成物は、第１，第２実施形態の角部被覆層１１，１２を構成する樹脂または樹脂組成物と同様であるため、詳細な記述を省略する。
【００５５】
さらに、上記例では、フランジ３の固定に用いられる接着剤を援用する構成としたが、接着剤等の樹脂組成物を用いない構成であれば、第１，第２実施形態と同様に、常温で硬化するエポキシ樹脂系あるいはウレタン樹脂系等、反応硬化型の樹脂からなるコーティング材等を使用して、角部被覆層１３を形成してもよい。
【００５６】
以上の構成の第３実施形態の電子写真感光体３０およびそれを用いた電子写真感光体ユニット４０によれば、電子写真感光体３０の軸線方向端の角部が、表面層２の端部を保護して表面層２からの小片等の剥離および脱落を抑制する角部被覆層１３によって覆われる。そのため、この電子写真感光体３０または電子写真感光体ユニット４０が画像形成装置に組み込まれて、高速で回転等した場合でも、端部から発生する表面層２の剥離等が、抑制される。
【００５７】
したがって、本実施形態の電子写真感光体３０または電子写真感光体ユニット４０を備える画像形成装置は、電子写真感光体３０が高速で回転または振動等する使用状況下においても、表面層２の剥離小片に起因する黒点等の画像劣化の発生が抑制され、高い印画品質を安定して維持することができる。
【００５８】
なお、前述の表面層２は、たとえばプラズマＣＶＤ装置等の堆積膜形成装置を用いて形成することができる。このようなプラズマＣＶＤ装置等を用いれば、１つの装置にて、真空反応室内の真空状態を維持したまま連続的に、円筒状基体１の外周面１ａの粗面化処理と、表面層２を構成する各層の形成処理とを、行なうことが可能である。
【００５９】
図４に、第１実施形態の電子写真感光体１０、第２実施形態の電子写真感光体２０、第３実施形態の電子写真感光体３０および電子写真感光体ユニット４０が組み込まれる画像形成装置１００の構成例を示す。
【００６０】
実施形態に係る画像形成装置１００は、画像形成方式としてカールソン法を採用したものであり、先述の電子写真感光体１０（２０，３０も同様）と、帯電器１１１、露光器１１２、現像ローラ１１３Ａを含む現像器１１３、転写器１１４、定着器１１５である１１５Ａおよび１１５Ｂと、電子写真感光体に接触するクリーニングローラ１１６Ｂとクリーニングブレード１１６Ａとを含むクリーニング器１１６、および、除電器１１７等を備える。なお、図中の記録媒体Ｓに沿った矢印は、記録媒体Ｓである用紙の移動方向を示す。
【００６１】
画像形成装置１００の構成を簡単に説明する。
【００６２】
帯電器（帯電ローラ）１１１は、電子写真感光体１０の表面をたとえば負極性に帯電させる役割を有するものである。本実施形態において帯電器１１１は、たとえば芯金を導電性ゴムあるいはＰＶＤＦ（ポリフッ化ビニリデン）によって被覆して構成される接触型帯電器が採用される。
【００６３】
露光器１１２は、電子写真感光体１０に静電潜像を形成する役割を有するものである。露光器１１２としては、たとえば複数のＬＥＤ素子（波長：６８０ｎｍ）を配列させてなるＬＥＤ（発光ダイオード：Ｌｉｇｈｔ  Ｅｍｉｔｔｉｎｇ  Ｄｉｏｄｅ）ヘッドを採用することができる。
【００６４】
現像器１１３は、電子写真感光体１０の静電潜像を現像してトナー像を形成する役割を有するものである。本例における現像器１１３は、現像剤（以下、トナー）Ｔを磁気的に保持する磁気ローラ１１３Ａを備える。
【００６５】
トナーＴは、電子写真感光体１０の表面上に形成されるトナー像を構成するものであり、現像器１１３において摩擦帯電する。トナーＴとしては、たとえば、磁性キャリアおよび絶縁性トナーを含んでなる２成分系現像剤と、磁性トナーを含んでなる１成分系現像剤とが挙げられる。
【００６６】
磁気ローラ１１３Ａは、電子写真感光体１０の表面の現像領域にトナーＴを搬送する役割を有するものである。磁気ローラ１１３Ａは、現像器１１３において摩擦帯電したトナーＴを一定の穂長に調整された磁気ブラシの形で電子写真感光体１０の表面に搬送する。
【００６７】
転写器１１４は、電子写真感光体１０と転写器１１４との間の転写領域に供給された、紙等の記録媒体Ｓに、電子写真感光体１０のトナー像を転写する役割を有するものである。本例における転写器１１４は、転写用チャージャ１１４Ａおよび分離用チャージャ１１４Ｂを備える。
【００６８】
定着器１１５は、記録媒体Ｓに転写されたトナーＴ像を記録媒体Ｓに定着させる役割を有するものであり、一対の定着ローラ１１５Ａ，１１５Ｂを備える。定着ローラ１１５Ａ，１１５Ｂは、たとえば金属ローラ上に四フッ化エチレンなどで表面被覆したものである。
【００６９】
クリーニング器１１６は、電子写真感光体１０の表面に残存するトナーＴを除去する役割を有するものであり、クリーニングローラ１１６Ｂおよびクリーニングブレード１１６Ａを備える。
【００７０】
除電器１１７は、電子写真感光体１０の表面電荷を除去する役割を有するものであり、特定波長（たとえば６３０ｎｍ以上）の光を出射可能とされる。
【００７１】
本実施形態の画像形成装置１００は、先に述べた第１実施形態の電子写真感光体１０、第２実施形態の電子写真感光体２０、第３実施形態の電子写真感光体３０および電子写真感光体ユニット４０の、いずれかを備えることにより、電子写真感光体が高速で回転または振動等する使用状況においても、表面層２の剥離小片に起因する黒点等の画像劣化の発生が抑制され、高い印画品質を安定して維持することができる。
【００７２】
なお、本発明は上述の実施形態に示したものだけに限定されるものではなく、本発明の要旨を逸脱しない範囲で改良または変更ができる。
【符号の説明】
【００７３】
１    円筒状基体
１ａ  外周面
１ｂ  内周面
１ｃ  端面
１ｄ  円周段部
１ｅ  角部
１ｆ  外側面取り面
１ｇ  内側面取り面
２  表面層
２ｅ  角部
１０，２０，３０  電子写真感光体
４０  電子写真感光体ユニット
Ｃ  角部領域
【００７４】
１００  画像形成装置
１１１  帯電器
１１２  露光器
１１３  現像器
１１３Ａ  磁気ローラ
１１４  転写器
１１４Ａ  転写用チャージャ
１１４Ｂ  分離用チャージャ
１１５  定着器
１１５Ａ，１１５Ｂ  定着ローラ
１１６  クリーニング器
１１６Ａ  クリーニングブレード
１１６Ｂ  クリーニングローラ
１１７  除電器
Ｓ  記録媒体
Ｔ  トナー（現像剤）
【図１】
2019191398.tif 000003
【図２】
2019191398.tif 000004
【図３】
2019191398.tif 000005
【図４】
2019191398.tif 000006